(57)【特許請求の範囲】
【請求項１】
本体の後部に設けられたハンドルポストに支持筒体が設けられ、前記支持筒体に軸線方向に移動自在に抵抗棒が差し込まれた耕耘機の抵抗棒取付構造において、
前記支持筒体の周壁に、前記抵抗棒の外周に対向する開口部が設けられ、
前記支持筒体に差し込まれた前記抵抗棒の外周に、前記開口部に対向可能な複数の水平係止溝が設けられ、
前記開口部に対向する側に操作レバーが揺動自在に設けられ、
前記操作レバーを前記開口部に向けて付勢する弾性部材が設けられ、
前記操作レバーに、前記開口部に対向した水平係止溝に係止可能な係止部が設けられ、
前記操作レバーが前記弾性部材に付勢された状態で、前記係止部が前記開口部に対向した水平係止溝に係止することを特徴とする耕耘機の抵抗棒取付構造。
【請求項２】
前記水平係止溝は、上下の縁部にそれぞれ面取部が形成されたことを特徴とする請求項１記載の耕耘機の抵抗棒取付構造。
【請求項３】
前記抵抗棒の外周に平坦部が設けられ、
前記抵抗棒が差し込まれる前記支持筒体の差込孔に、前記平坦部に当接可能なストッパ部が設けられたことを特徴とする請求項１または請求項２記載の耕耘機の抵抗棒取付構造。
【請求項４】
前記抵抗棒は、前記差込孔に差し込まれる側の端部のうち、前記抵抗棒の軸線からみて前記水平係止溝と同じ側に取付用面取部が形成されたことを特徴とする請求項１〜３のいずれか１項記載の耕耘機の抵抗棒取付構造。
【発明の詳細な説明】
【技術分野】
【０００１】
本発明は、ハンドルポストに支持筒体が設けられ、この支持筒体に抵抗棒が高さを調整可能に差し込まれた耕耘機の抵抗棒取付構造に関する。
【背景技術】
【０００２】
耕耘機は、本体の後部にハンドルポストが立設され、ハンドルポストに操作ハンドルが取り付けられ、ハンドルポストに抵抗棒取付構造が設けられている。
この抵抗棒取付構造はハンドルポストにステー（以下、「支持部材」という）が設けられ、支持部材に抵抗棒が取り付けられている。
【０００３】
支持部材は略Ｕ字状に折り曲げられ、折り曲げられた支持部材の内部に抵抗棒が配置されている。
具体的には、抵抗棒の上部に複数の水平孔が所定間隔をおいて形成され、水平孔を支持部材の支持孔に合わせ、水平孔および支持孔に支持ピンを差し込むことで、抵抗棒が支持部材に取り付けられている（例えば、特許文献１参照。）。
【特許文献１】特開２００２−３４３０２号公報
【０００４】
この抵抗棒は略くの字状に折り曲げられ、上部が支持部材に設けられ、下部が地面に接触されている。
抵抗棒の下部を地面に接触させることで、複数の耕耘爪で土壌を耕耘することが可能になる。
【０００５】
特許文献１の抵抗棒取付構造によれば、抵抗棒の高さを調整する際には、水平孔および支持孔から支持ピンを抜き取り、新たに選択した水平孔を支持孔に合わせ、選択した水平孔および支持孔に支持ピンを差し込む。
【発明の開示】
【発明が解決しようとする課題】
【０００６】
しかし、特許文献１の抵抗棒取付構造では、略Ｕ字状に折り曲げられた支持部材の内部に抵抗棒が配置されている。よって、抵抗棒の水平孔は支持部材に隠されてしまい、水平孔の位置を目視で確認することができない。
このため、抵抗棒の高さを調整する際に、新たに選択した水平孔を支持孔に合わせることが難しい。
したがって、選択した水平孔および支持孔に支持ピンを差し込む作業、すなわち、抵抗棒の高さを調整する作業に手間がかかっていた。
【０００７】
ところで、耕耘機の用途に応じて、支持部材から抵抗棒を取り外し、支持部材に他のアタッチメントを取り付けて使用する場合がある。
他のアタッチメントも、抵抗棒と同様の構成で支持部材に取り付けられるため、他のアタッチメントへの交換に手間がかかっていた。
【０００８】
本発明は、抵抗棒の高さを簡単に調整可能で、かつ、抵抗棒を他のアタッチメントに簡単に交換することができる耕耘機の抵抗棒取付構造を提供することを課題とする。
【課題を解決するための手段】
【０００９】
請求項１に係る発明は、本体の後部に設けられたハンドルポストに支持筒体が設けられ、前記支持筒体に軸線方向に移動自在に抵抗棒が差し込まれた耕耘機の抵抗棒取付構造において、前記支持筒体の周壁に、前記抵抗棒の外周に対向する開口部が設けられ、前記支持筒体に差し込まれた前記抵抗棒の外周に、前記開口部に対向可能な複数の水平係止溝が設けられ、前記開口部に対向する側に操作レバーが揺動自在に設けられ、前記操作レバーを前記開口部に向けて付勢する弾性部材が設けられ、前記操作レバーに、前記開口部に対向した水平係止溝に係止可能な係止部が設けられ、前記操作レバーが前記弾性部材に付勢された状態で、前記係止部が前記開口部に対向した水平係止溝に係止することを特徴とする。
【００１０】
請求項２において、前記水平係止溝は、上下の縁部にそれぞれ面取部が形成されたことを特徴とする。
【００１１】
請求項３は、前記抵抗棒の外周に平坦部が設けられ、前記抵抗棒が差し込まれる前記支持筒体の差込孔に、前記平坦部に当接可能なストッパ部が設けられたことを特徴とする。
【００１２】
請求項４において、前記抵抗棒は、前記差込孔に差し込まれる側の端部のうち、前記抵抗棒の軸線からみて前記水平係止溝と同じ側に取付用面取部が形成されたことを特徴とする。
【発明の効果】
【００１３】
請求項１に係る発明では、支持筒体に開口部を設け、支持筒体に差し込まれた抵抗棒に、開口部に対向可能な複数の水平係止溝を設けた。
そして、操作レバーが弾性部材に付勢された状態で、係止部が開口部に対向した水平係止溝に係止するようにした。
【００１４】
操作レバーを弾性部材で付勢することで、水平係止溝に係止部を係止した状態を保持することができる。
これにより、抵抗棒を係止部で係止することができ、抵抗棒を所定位置に保持することができる。
【００１５】
さらに、操作レバーを弾性部材の付勢力に抗して、開口部および水平係止溝から離れる方向に揺動させることで、水平係止溝から係止部を離すことができる。
水平係止溝から係止部を離した状態に保持し、抵抗棒を支持筒体の軸線方向に移動させる。
【００１６】
ここで、支持筒体に開口部が形成されているので、開口部から水平係止溝を目視できる。よって、水平係止溝を開口部に簡単に一致させる（合わせる）ことができる。
水平係止溝を開口部に合わせた後、操作レバーを弾性部材の付勢力で開口部および水平係止溝に向けて揺動させることで、係止部が開口部に対向した水平係止溝に係止する。
これにより、抵抗棒の高さを簡単に調整することができる。
【００１７】
以下に、抵抗棒の高さを簡単に調整するもう一つの操作手順を示す。
すなわち、操作レバーを揺動させて水平係止溝から係止部を離して、抵抗棒を支持筒体の軸線方向に移動させる。
抵抗棒を支持筒体の軸線方向に移動させて、水平係止溝を開口部からずらした後、操作レバーを弾性部材の付勢力で開口部側に揺動させる。操作レバーが揺動することで、係止部が抵抗棒（水平係止溝を除いた部位）に当接する。
この状態で、抵抗棒を支持筒体の軸線方向に移動させる。水平係止溝が開口部に一致したときに、係止部が弾性部材の付勢力で水平係止溝に係止する。
これにより、抵抗棒の高さを簡単に調整することができる。
【００１８】
加えて、耕耘機の用途に応じて、支持部材から抵抗棒を取り外し、支持部材に他のアタッチメントを取り付けて使用する場合がある。
他のアタッチメントは、支持部材に取り付ける部位が抵抗棒と同様に形成されている。
これにより、抵抗棒を他のアタッチメントに簡単に交換することができる。
【００１９】
請求項２に係る発明では、水平係止溝の上下の縁部に面取部をそれぞれ形成した。
よって、係止部が弾性部材の付勢力で水平係止溝に係止する際に、係止部を面取部で水平係止溝まで円滑に案内することができる。
これにより、係止部を水平係止溝に容易に係止させることができる。
【００２０】
請求項３に係る発明では、抵抗棒に平坦部を設け、この平坦部に当接可能なストッパ部を支持筒体の差込孔に設けた。
抵抗棒の平坦部をストッパ部を当接することで、抵抗棒が軸線を中心にして回転することを阻止できる。
これにより、抵抗棒の水平係止溝を、開口部に一層簡単に合わせることができる。
【００２１】
請求項４に係る発明では、抵抗棒の端部において、水平係止溝と同じ側に取付用面取部を形成した。
これにより、操作レバーから手を離した状態で、抵抗棒を支持筒体に取り付けることが可能になる。
【００２２】
すなわち、操作レバーから手を離して係止部を開口部に係止させた状態で、抵抗棒を支持筒体に差し込む。抵抗棒を支持筒体に差し込むことで、取付用面取部が係止部に当接する。
この状態で、抵抗棒を支持筒体にさらに差し込むことで、取付用面取部が係止部を弾性部材の付勢力に抗して開口部から離れる方向に押し出す。
よって、抵抗棒を支持筒体に容易に差し込むことができる。
【００２３】
そして、抵抗棒の水平係止溝が開口部に一致したときに、係止部が弾性部材の付勢力で水平係止溝に係止する。
したがって、操作レバーから手を離した状態で、抵抗棒を支持筒体に取り付けることが可能になり、抵抗棒を簡単に取り付けることができる。
【発明を実施するための最良の形態】
【００２４】
本発明を実施するための最良の形態を添付図に基づいて以下に説明する。なお、「前」、「後」、「左」、「右」は操作者からみた方向にしたがい、前側をＦｒ、後側をＲｒ、左側をＬ、右側をＲとして示す。
【００２５】
図１は本発明に係る耕耘機を示す側面図である。
耕耘機１０は、耕耘機本体（本体）１１の上端部に搭載されたエンジン１２と、エンジン１２の下方に設けられたフェンダ１３と、フェンダ１３の下方に耕耘軸１４を介して設けられた複数の耕耘爪１５と、耕耘機本体１１の後部１１ａに設けられたハンドルポスト１６と、ハンドルポスト１６に設けられた操作ハンドル１７と、ハンドルポスト１６に設けられた抵抗棒取付構造（耕耘機の抵抗棒取付構造）２０とを備えている。
【００２６】
この耕耘機１０は、エンジン１２の動力を耕耘軸１４に伝達し、耕耘軸１４を回転することにより、複数の耕耘爪１５で土壌を耕耘しながら、作業者が操作ハンドル１７を握った状態で走行する歩行型耕耘機である。
【００２７】
抵抗棒取付構造２０は、ハンドルポスト１６に設けられた支持筒体２１と、支持筒体２１に取り付けられた抵抗棒２２と、抵抗棒２２を支持筒体２１に保持するロック手段２３とを備える。
【００２８】
図２は本発明に係る耕耘機の抵抗棒取付構造を示す側面図、図３は本発明に係る耕耘機の抵抗棒取付構造を示す断面図である。
ハンドルポスト１６は、円筒体に形成され、下部２５が楕円状に潰された部材である。
このハンドルポスト１６は、下部２５の下端部２５ａが、耕耘機本体１１の後下部（後部）１１ｂに下ボルト２６で取り付けられるとともに、耕耘機本体１１の後上部（後部）１１ｃに支持ブラケット２７を介して上ボルト２８で取り付けられている。
ハンドルポスト１６の上端部１６ａ（図１参照）に操作ハンドル１７が取り付けられている。
【００２９】
ハンドルポスト１６には軸線３１方向に対して角度θで傾斜するように貫通孔３２，３２が形成され、この貫通孔３２，３２に支持筒体２１が差し込まれている。
この状態で、ハンドルポスト１６に支持筒体２１が溶接されている。
【００３０】
支持筒体２１は、差込孔３４が貫通されることで筒状に形成され、ハンドルポスト１６に略鉛直状態（詳しくは、後方に向けて下り勾配）で設けられている。
支持筒体２１の差込孔３４に抵抗棒２２が差し込まれている。
【００３１】
抵抗棒２２は、図１に示すように、略くの字状に折り曲げられ、上部４３が支持筒体２１に設けられ、下部４４が地面に接触されている。
抵抗棒２２の下部４４を地面に接触させることで、複数の耕耘爪１５（図１参照）で土壌を耕耘することが可能になる。
【００３２】
抵抗棒２２を支持筒体２１に保持するロック手段２３がハンドルポスト１６に設けられている。
ロック手段２３は、抵抗棒２２を保持する保持位置Ｐ１と、抵抗棒２２の保持を解除する保持解除位置Ｐ２（図８参照）とに移動可能に前後方向に揺動自在に設けられている。
【００３３】
図４（ａ）は本発明に係る耕耘機の抵抗棒取付構造を示す斜視図、図４（ｂ）は図４（ａ）の４ｂ−４ｂ線断面図、図５は本発明に係る耕耘機の抵抗棒取付構造を示す分解斜視図、図６は本発明に係る支持筒体の開口部および抵抗棒の水平係止溝を示す側面図である。
支持筒体２１は、周壁２１ａの中央部２１ｂがハンドルポスト１６の下方に位置し、中央部２１ｂの後部位２１ｃに開口部３６が設けられ、下端部２１ｄにストッパ部３７が設けられている。
開口部３６は、中央部２１ｂの後部位２１ｃに形成されている。この開口部３６は、抵抗棒２２の外周２２ａに対向し、かつ、後方に向けて開口されている。
具体的には、開口部３６は、後面視で水平に延びた上下の辺３６ａ，３６ｂ、および軸線方向に延びた左右の辺３６ｃ，３６ｄで略水平に形成されるとともに、側面視において略コ字状に形成されている（図６参照）。
【００３４】
ストッパ部３７は、支持筒体２１の下端部２１ｄに設けられた略矩形状のブロック片である。このストッパ部３７は、図４（ｂ）に示すように、支持筒体２１の差込孔３４の空間のうち、前部３４ａに重なるように設けられている。
ストッパ部３７を前部３４ａに重ねることで、ストッパ部３７のストッパ面３７ａが、支持筒体２１の軸線４１に対して前方に距離Ｌ１離れた位置に配置されている。
【００３５】
支持筒体２１の差込孔３４には抵抗棒２２が差し込まれている。
抵抗棒２２は、支持筒体２１に上端部４３ａ（すなわち、差込孔３４に差し込まれる側の端部）から差込み可能に形成されている。
この抵抗棒２２は、上部４３に複数の水平係止溝４６が所定間隔をおいて設けられ、上端部４３ａに取付用面取部４７が設けられ、上部４３に平坦部４８が設けられている。
【００３６】
複数の水平係止溝４６は、抵抗棒２２の外周２２ａのうち、後部位２２ｂに軸線５６に沿って所定間隔をおいて形成されている。
水平係止溝４６は、後面視で水平に延びた上下の辺５１，５２を有し、後方に向けて水平に開口されるとともに、側面視において略半円弧状に形成されている（図６参照）。
複数の水平係止溝４６は、支持筒体２１の軸線４１方向に抵抗棒２２を移動することで、開口部３６に対向可能な溝である。
【００３７】
この水平係止溝４６は、図６に示すように、上辺５１の縁部（上縁部）５１ａに面取が施されることで上面取部（面取部）５３が形成され、下辺５２の縁部（下縁部）５２ａに面取が施されることで下面取部（面取部）５４が形成されている。
なお、水平係止溝４６に上下の面取部５３，５４を形成した理由は、図７で詳しく説明する。
【００３８】
取付用面取部４７は、上端部４３ａのうち、抵抗棒２２の軸線５６からみて水平係止溝４６と同じ側に形成されている。
この取付用面取部４７は、上端４７ａから外周前部位４３ｂまで傾斜状に形成されたテーパ面（傾斜面）である。
外周前部位４３ｂは、上部４３の外周のうち、軸線５６の前側に位置する外周部位である。この外周前部位４３ｂから軸線５６側に距離Ｌ２離れた位置に上端４７ａが位置している。
【００３９】
外周前部位４３ｂから上端４７ａまでの距離Ｌ２は、開口部３６の深さＤ１（図６参照）より大きく形成されている。
ここで、開口部３６の深さＤ１は、詳しくは、支持筒体２１の内周壁２１ｅから開口部３６の左右の辺３６ｃ，３６ｄまでの深さを示す。
なお、外周前部位４３ｂから上端４７ａまでの距離Ｌ２を開口部３６の深さＤ１より大きく形成した理由は、図１２〜図１３で詳しく説明する。
【００４０】
平坦部４８は、上部４３のうち、抵抗棒２２の軸線５６からみて水平係止溝４６と反対側に設けられている。
平坦部４８は、抵抗棒２２の外周２２ａのうち、軸線５６に対して前方に距離Ｌ３離れた部位に形成された平坦面である。
【００４１】
距離Ｌ３は、距離Ｌ１に対して僅かに小さな寸法に設定されている。
よって、支持筒体２１の差込孔３４に抵抗棒２２が差し込まれた状態で、ストッパ部３７に平坦部４８が当接されている。
このように、抵抗棒２２の平坦部４８をストッパ部３７に当接することで、抵抗棒２２が軸線５６を中心にして回転することを阻止できる。
【００４２】
ロック手段２３は、支持筒体２１の後方に設けられた軸受部６１と、軸受部６１に回動自在に配置された支持軸６２と、支持軸６２に設けられた操作レバー６３と、操作レバー６３に設けられた係止ピン（係止部）６４と、係止ピン６４を係止位置に保持するばね部材（弾性部材）６５とを備えている。
【００４３】
ハンドルポスト１６には支持筒体２１の後方に、支持筒体２１に交差するように一対の取付孔６８（図７参照）が形成されている。
一対の取付孔６８に軸受部６１が差し込まれた状態で、軸受部６１がハンドルポスト１６に溶接されている。
よって、支持筒体２１の後方に、軸受部６１が支持筒体２１に交差する状態で水平に設けられている。
【００４４】
軸受部６１は、ハンドルポスト１６に対して左端部６１ａが大きく突出されている。
この軸受部６１に支持軸６２が差し込まれている。
軸受部６１に支持軸６２が差し込まれることで、軸受部６１に支持軸６２が回転自在に支持されている。
【００４５】
支持軸６２は、基端部６２ａおよび先端部６２ｂが、軸受部６１の右端６１ｂおよび軸受部６１の左端６１ａからそれぞれ突出されている（図７も参照）。
支持軸６２の先端部６２ｂに操作レバー６３の左側壁部７１が設けられ、支持軸６２の基端部６２ａに操作レバー６３の右側壁部７２が設けられている。
すなわち、支持軸６２に操作レバー６３が設けられている。
【００４６】
操作レバー６３は、ハンドルポスト１６の左側に配置された左側壁部７１と、ハンドルポスト１６の右側に配置された右側壁部７２と、左右の側壁を連結する把持部７３とを備えている。
この操作レバー６３は、一体に形成された板材を折り曲げて、左側壁部７１および右側壁部７２を対向させた部材である。
【００４７】
左側壁部７１は、側面視で略く字状に形成された平板である。
左側壁部７１の上部７１ａは、他の部位７１ｂに対して平行で、かつ他の部位７１ｂに対して左側に距離寸法Ｌ４（図７参照）だけ張り出されている。
すなわち、左側壁部７１は、後面視でクランク状に形成されている。
【００４８】
他の部位７１ｂに対して上部７１ａを距離寸法Ｌ４だけ張り出すことで、ハンドルポスト１６から突出された軸受部６１の左端部６１ａが、上部７１ａとハンドルポスト１６との間に収容される。
上部７１ａに支持軸６２が差し込まれる左上差込孔７５が形成され、中央部７１ｃに係止ピン６４が差し込まれる左中央差込孔７６（図７参照）が形成されている。
【００４９】
右側壁部７２は、側面視で、左側壁部７１と左右対称になるように略く字状に形成された平坦状の平板である。
右側壁部７２の上部７２ａに支持軸６２が差し込まれる右上差込孔７７が左上差込孔７５と同軸上に形成され、中央部７２ｂに係止ピン６４が差し込まれる右中央差込孔７８が左中央差込孔７６と同軸上に形成されている。
【００５０】
左側壁部７１の後端部７１ｄおよび右側壁部７２の後端部７２ｃに把持部７３が架け渡されている。
把持部７３は、左右の中央差込孔７６，７８の後方で、かつ、ハンドルポスト１６の下方に位置している。
把持部７３を左右の中央差込孔７６，７８の後方で、かつ、ハンドルポスト１６の下方に位置させることで、把持部７３を係止ピン６４やハンドルポスト１６から比較的大きく離すことができる。
よって、操作者は把持部７３を手で簡単に把持する（掴む）ことが可能である。
【００５１】
この操作レバー６３は、支持筒体２１の開口部３６および抵抗棒２２の複数の水平係止溝４６に対向する後側に配置され、かつ、支持軸６２を軸にして前後方向に揺動自在に設けられている。
操作レバー６３の左中央差込孔７６および右中央差込孔７８に係止ピン６４が差し込まれることで、係止ピン６４は左右の側壁部７１，７２に取り付けられている（設けられている）。
【００５２】
図７は図２の７−７線断面図である。
係止ピン６４は、支持筒体２１の開口部３６の後方で、かつ、開口部３６に対向する位置に水平に配置されている。
この係止ピン６４は、開口部３６の高さ寸法Ｈ１や水平係止溝４６の高さ寸法Ｈ２（図６参照）より外径寸法Ｄ２が小さく形成されたピンである。
係止ピン６４の外径寸法Ｄ２を高さ寸法Ｈ１より小さくすることで、係止ピン６４を開口部３６に嵌合可能（または、係止可能）とすることができる。
さらに、係止ピン６４の外径寸法Ｄ２を高さ寸法Ｈ２より小さくすることで、係止ピン６４を水平係止溝４６に係止可能とすることができる。
【００５３】
ここで、図６で説明したように、水平係止溝４６は、上辺５１の縁部５１ａに上面取部５３が形成され、下辺５２の縁部５２ａに下面取部５４が形成されている。
よって、係止ピン６４が、後述するばね部材６５の付勢力で水平係止溝４６に係止する際に、係止ピン６４を上下の面取部５３，５４で水平係止溝４６まで円滑に案内することができる。
これにより、係止ピン６４を水平係止溝４６に容易に係止させることができる。
【００５４】
軸受部６１の左端部６１ａにばね部材６５が設けられている。
ばね部材６５は、右端部６５ａが湾曲状に曲げられてハンドルポスト１６に係止され、左端部６５ｂが略コ字状に折り曲げられて左側壁部７１の上部７１ａに係止されている。
このばね部材６５は、操作レバー６３を支持筒体２１や抵抗棒２２に向けて（前方に向けて）付勢するばねである。
【００５５】
ばね部材６５で操作レバー６３を付勢することで、開口部３６に対向した水平係止溝４６に係止ピン６４を係止させた状態（すなわち、保持位置Ｐ１（図２参照））に保持されている。
水平係止溝４６に係止ピン６４を係止させて保持位置Ｐ１に配置することで（図２の状態）、支持筒体２１に抵抗棒２２が保持されている。
【００５６】
図８は本発明に係る抵抗棒取付構造の操作レバーを後方に揺動した状態を示す側面図である。
操作レバー６３は、図２に示す保持位置Ｐ１において把持部７３を手で把持可能に形成されている。
さらに、操作レバー６３は、手で把持した把持部７３をばね部材６５の付勢力に抗して後方に引っ張ることが可能に支持されている。
【００５７】
把持部７３を手で把持して（掴んで）、保持位置Ｐ１から後方に引っ張ることで、操作レバー６３が支持軸６２を軸にして保持解除位置Ｐ２まで後方に揺動可能である。
操作レバー６３を保持解除位置Ｐ２まで揺動することで、開口部３６および水平係止溝４６から係止ピン６４が外れる。
よって、係止ピン６４による抵抗棒２２の保持が解除され、抵抗棒２２が支持筒体２１に対して軸線４１方向に移動可能となる。
【００５８】
ここで、支持筒体２１に開口部３６が形成されているので、開口部３６から水平係止溝４６を目視することが可能である。
よって、抵抗棒２２を軸線４１方向に移動して、水平係止溝４６を開口部３６に簡単に一致させる（合わせる）ことが可能である。
【００５９】
つぎに、抵抗棒取付構造２０で抵抗棒２２の高さを調整する例を図９〜図１０に基づいて説明する。以下、構成の理解を容易にするために、便宜上、複数の水平係止溝４６を上から順に第１〜第３の水平係止溝４６ａ〜４６ｃとして説明する。
図９（ａ），（ｂ）は本発明に係る抵抗棒の保持状態を解除する手順を説明する図である。
（ａ）において、操作レバー６３が保持位置Ｐ１に配置された状態において、把持部７３を手で掴む。
手で掴んだ把持部７３を保持位置Ｐ１から後方に引っ張ることで、操作レバー６３が支持軸６２を軸にして保持解除位置Ｐ２まで矢印Ａの如く後方に揺動する。
【００６０】
（ｂ）において、操作レバー６３を保持解除位置Ｐ２まで揺動することで、開口部３６から係止ピン６４が抜け出すとともに、第３水平係止溝４６ｃから係止ピン６４が外れる。
係止ピン６４による抵抗棒２２の保持が解除され、抵抗棒２２を矢印Ｂの如く下降させる。
ここで、抵抗棒２２の平坦部４８がストッパ部３７に当接されている。よって、抵抗棒２２が軸線５６を中心にして回転することを阻止できる。
【００６１】
図１０（ａ），（ｂ）は本発明に係る抵抗棒の高さを調整する手順を説明する図である。
（ａ）において、開口部３６に第２水平係止溝４６ｂを一致させる（合わせる）。
ここで、支持筒体２１に開口部３６が形成されているので、開口部３６から第２水平係止溝４６ｂを目視できる。よって、第２水平係止溝４６ｂを開口部３６に簡単に合わせることができる。
さらに、抵抗棒２２の平坦部４８をストッパ部３７に当接させて抵抗棒２２の回転を阻止することで、第２水平係止溝４６ｂを開口部３６に一層簡単に合わせることができる。
第２水平係止溝４６ｂを開口部３６に合わせた後、操作レバー６３をばね部材６５の付勢力で開口部３６および第２水平係止溝４６ｂに向けて矢印Ｃの如く前方向に揺動させる。
【００６２】
（ｂ）において、係止ピン６４が水平係止溝４６に係止し、係止ピン６４で抵抗棒２２を保持する。
これにより、抵抗棒２２の高さを簡単に調整することができる。
【００６３】
ついで、抵抗棒取付構造２０で抵抗棒２２の高さを調整するもう一つの例を図９、図１１に基づいて説明する。
図９で説明したように、係止ピン６４による抵抗棒２２の保持を解除した状態において、抵抗棒２２を矢印Ｂの如く下降させる。
【００６４】
図１１（ａ），（ｂ）は本発明に係る抵抗棒の高さを調整するもう一つの手順を説明する図である。
（ａ）において、第３水平係止溝４６ｃが開口部３６からずれた状態で、操作レバー６３をばね部材６５（図９参照）の付勢力で開口部３６に向けて前方向に揺動させる。
操作レバー６３が前方向に揺動することで、係止ピン６４が抵抗棒２２（水平係止溝４６を除いた部位）に当接する。
係止ピン６４が抵抗棒２２に当接した状態で、抵抗棒２２を矢印Ｂの如く下降させる。
【００６５】
（ｂ）において、第２水平係止溝４６ｂが開口部３６に一致したときに、係止ピン６４が抵抗棒２２（水平係止溝４６を除いた部位）から外れる。
操作レバー６３がばね部材６５（図９参照）の付勢力で保持位置Ｐ１まで揺動して、係止ピン６４が第２水平係止溝４６ｂに係止する。
これにより、抵抗棒２２の高さを簡単に調整することができる。
【００６６】
つぎに、抵抗棒取付構造２０の支持筒体２１に抵抗棒２２を取り付ける例を図１２〜図１３に基づいて説明する。
図１２（ａ），（ｂ）は本発明に係る支持筒体２１に抵抗棒を差し込む手順を説明する図である。
（ａ）において、操作レバー６３の把持部７３から手を離して係止ピン６４を開口部３６に係止させる。
係止ピン６４を開口部３６に係止させることで、係止ピン６４は、開口部３６の深さＤ１と同じ位置に配置されている。
この状態で、抵抗棒２２を支持筒体２１の差込孔３４に矢印Ｄの如く差し込む。
ここで、抵抗棒２２の取付用面取部４７は、外周前部位４３ｂから上端４７ａまでの距離Ｌ２が開口部３６の深さＤ１より大きい。
【００６７】
（ｂ）において、抵抗棒２２を差込孔３４に差し込んだ状態で、取付用面取部４７の上端４７ａは、係止ピン６４に対して支持筒体２１の軸線４１側に寄せられている。
よって、抵抗棒２２を支持筒体２１に差し込むことで、取付用面取部４７が係止ピン６４に当接する。
【００６８】
この状態で、抵抗棒２２を支持筒体２１の差込孔３４にさらに矢印Ｄの如く差し込む。取付用面取部４７が係止ピン６４をばね部材６５の付勢力に抗して開口部３６から離れる方向に押し出す。
操作レバー６３が支持軸６２を軸にして矢印Ｅの如く後方に向けて揺動し、抵抗棒２２を支持筒体２１の差込孔３４に容易に差し込むことができる。
抵抗棒２２を差込孔３４に矢印Ｄの如く継続して差し込むことで、係止ピン６４が抵抗棒２２（水平係止溝４６を除いた部位）に乗り上げる。
【００６９】
図１３は本発明に係る支持筒体２１に抵抗棒を取り付ける手順を説明する図である。
係止ピン６４が抵抗棒２２に乗り上げた状態から、抵抗棒２２を差込孔３４に矢印Ｄの如くさらに継続して差し込むことで、抵抗棒２２の第１水平係止溝４６ａが開口部３６に一致する。
よって、係止ピン６４が抵抗棒２２（水平係止溝４６を除いた部位）から外れ、操作レバー６３がばね部材６５（図９参照）の付勢力で保持位置Ｐ１まで揺動する。
【００７０】
これにより、係止ピン６４が第１水平係止溝４６ａに係止して、抵抗棒２２が支持筒体２１に取り付けられる。
このように、操作レバー６３から手を離した状態で、抵抗棒２２を支持筒体２１に取り付けることが可能になり、抵抗棒２２を簡単に取り付けることができる。
【００７１】
一方、図９で説明したように、手で掴んだ把持部７３を保持位置Ｐ１から後方に引っ張ることで、抵抗棒２２を簡単に取り外すことができる。
このように、抵抗棒取付構造２０によれば、抵抗棒２２の着脱を簡単におこなうことができる。
【００７２】
これにより、耕耘機１０の用途に応じて、支持部材２１から抵抗棒２２を取り外し、畝立器や培土器などの他のアタッチメント（図示せず）を支持部材２１に簡単に取り付けることができる。
ここで、他のアタッチメントは、支持部材２１に取り付ける部位が抵抗棒２２と同様に形成されている。
これにより、耕耘機１０の使い勝手をさらに高めることができる。
【００７３】
なお、前記実施の形態では、水平係止溝４６に上下の面取部５３，５４を形成した例について説明したが、これに限らないで、水平係止溝４６に上下の面取部５３，５４を形成しなくても同様の効果を得ることは可能である。
【００７４】
また、前記実施の形態では、抵抗棒２２の外周２２ａに平坦部４８を設けた例について説明したが、これに限らないで、外周２２ａに平坦部４８を設けなくても同様の効果を得ることは可能である。
【００７５】
さらに、前記実施の形態では、抵抗棒２２の上端部４３ａに取付用面取部４７を設けた例について説明したが、これに限らないで、上端部４３ａに取付用面取部４７を設けなくても同様の効果を得ることは可能である。
加えて、前記実施の形態で示した操作レバー６３（左右の側壁部７１，７２、把持部７３）やストッパ部３７などは例示した形状に限定するものではなく、適宜変更が可能である。
【産業上の利用可能性】
【００７６】
本発明は、ハンドルポストに支持筒体が設けられ、支持筒体に抵抗棒が高さを調整可能に差し込まれた耕耘機への適用に好適である。
【図面の簡単な説明】
【００７７】
【図１】本発明に係る耕耘機を示す側面図である。
【図２】本発明に係る耕耘機の抵抗棒取付構造を示す側面図である。
【図３】本発明に係る耕耘機の抵抗棒取付構造を示す断面図である。
【図４】（ａ）は本発明に係る耕耘機の抵抗棒取付構造を示す斜視図、（ｂ）は図４（ａ）の４ｂ−４ｂ線断面図である。
【図５】本発明に係る耕耘機の抵抗棒取付構造を示す分解斜視図である。
【図６】本発明に係る支持筒体の開口部および抵抗棒の水平係止溝を示す側面図である。
【図７】図２の７−７線断面図である。
【図８】本発明に係る抵抗棒取付構造の操作レバーを後方に揺動した状態を示す側面図である。
【図９】本発明に係る抵抗棒の保持状態を解除する手順を説明する図である。
【図１０】本発明に係る抵抗棒の高さを調整する手順を説明する図である。
【図１１】本発明に係る抵抗棒の高さを調整するもう一つの手順を説明する図である。
【図１２】本発明に係る支持筒体２１に抵抗棒を差し込む手順を説明する図である。
【図１３】本発明に係る支持筒体２１に抵抗棒を取り付ける手順を説明する図である。
【符号の説明】
【００７８】
１０…耕耘機、１１…耕耘機本体、１１ａ…耕耘機本体の後部、１１ｂ…後下部（後部）、１１ｃ…後上部（後部）、１６…ハンドルポスト、２０…抵抗棒取付構造（耕耘機の抵抗棒取付構造）、２１…支持筒体、２１ａ…支持筒体の周壁、２２…抵抗棒、２２ａ…抵抗棒の外周、２３…ロック手段、３４…差込孔、３６…開口部、３７…ストッパ部、３７ａ…ストッパ面、４１…支持筒体の軸線、４３ａ…上端部（差込孔に差し込まれる側の端部）、４６…水平係止溝、４７…取付用面取部、４８…平坦部、５１ａ…上辺の縁部（上縁部）、５２ａ…下辺の縁部（下縁部）、５３…上面取部（面取部）、５４…下面取部（面取部）、５６…抵抗棒の軸線、６３…操作レバー、６４…係止ピン（係止部）、６５…ばね部材（弾性部材）。
【図１】
0004966914.tif 000002
【図２】
0004966914.tif 000003
【図３】
0004966914.tif 000004
【図４】
0004966914.tif 000005
【図５】
0004966914.tif 000006
【図６】
0004966914.tif 000007
【図７】
0004966914.tif 000008
【図８】
0004966914.tif 000009
【図９】
0004966914.tif 000010
【図１０】
0004966914.tif 000011
【図１１】
0004966914.tif 000012
【図１２】
0004966914.tif 000013
【図１３】
0004966914.tif 000014